(57)【要約】      （修正有）【課題】電気施設がない場所でも実用的に十分な乾燥効果が得られ、しかも、携帯に便利な靴用乾燥具を提供する。【解決手段】湿気を密封する密封袋体Ｐを設ける。枠体状に組立て自在な乾燥シート１を設ける。乾燥シート１は、繊維材で形成されたシートに乾燥剤を含侵させてシート体を形成したものである。該シート体のシートを貫通する多数の貫通孔の内周縁でシート体の繊維の切断端部が表出する吸湿促進部を形成する。シート体のシート表面に加えて吸湿促進部からも吸湿するように乾燥シート１を設ける。靴Ｑの内部に収納される乾燥体２を設ける。乾燥体２を収納した靴Ｑを枠体状に組立てた乾燥シート１の内側に配置する。該乾燥シート１ごと靴Ｑを密封袋体Ｐに収納する。【選択図】図１
0003143946.tif 000002
【実用新案登録請求の範囲】
【請求項１】
湿気を密封する密封袋体と、枠体状に組立て自在な乾燥シートと、靴の内部に収納される乾燥体とから構成され、該乾燥体を収納した靴を枠体状に組立てた乾燥シートの内側に配置し、該乾燥シートごと靴を密封袋体に収納することを特徴とする靴用乾燥具。
【請求項２】
前記乾燥シートは、繊維材で形成されたシートに乾燥剤を含侵させてシート体を形成し、該シート体のシートを貫通する多数の貫通孔の内周縁でシート体の繊維の切断端部が表出する吸湿促進部を形成し、シート体のシート表面に加えて吸湿促進部からも吸湿するように設けた請求項１記載の靴用乾燥具。
【請求項３】
前記乾燥シートは、紙パルプシートに塩化カルシウムを含侵させて形成された請求項１又は２記載の靴用乾燥具。
【請求項４】
前記乾燥体は、前記乾燥シートを裁断した乾燥剤を透水性の袋体内部に収納して形成された請求項１乃至３いずれか記載の靴用乾燥具。
【請求項５】
前記密封袋体は、透湿率の低い素材フィルムによって形成されると共に、開口部に密封用のシールチャックを設けた請求項１記載の靴用乾燥具。
【考案の詳細な説明】
【技術分野】
【０００１】
本考案は、電気的な乾燥器具等を用いずに靴類を乾燥させる靴用乾燥具に係り、確実な乾燥効果が得られ携帯にも便利な靴用乾燥具に関する。
【背景技術】
【０００２】
靴類の乾燥装置として、電動ファンや電熱ヒーター等の乾燥器具を用いた乾燥装置が提案されている。
【０００３】
例えば、特許文献１に記載の靴用乾燥装置では、靴を収納する箱体状の乾燥庫の内部に、靴の内部に空気を送付する電動ファンと、循環する空気を除湿する乾燥剤とを備えたものである。
【０００４】
また、特許文献２に記載の靴類乾燥装置によると、靴を収納する箱の内部に靴を支持せしめる靴座を設け、箱の開口した上部に白熱灯などの熱源を配置し、この熱源で靴類を乾燥させるものである。
【特許文献１】特開平６−２０９８９３号公報
【特許文献２】特開２００７‐３１９５０１号公報
【考案の開示】
【考案が解決しようとする課題】
【０００５】
特許文献１、２に記載の乾燥装置は、いずれも電動ファンや熱源など、電気的な乾燥器具を使用したものである。そのため、これらの乾燥装置は、電気設備が無ければ全く役に立たないものであった。
【０００６】
また、仮に電気の使用が可能なところでも、特許文献１に記載の乾燥装置を持ち運ぶ際に不都合が生じる。すなわち、特許文献１では、乾燥庫の内部に、靴の内部に空気を送付するファンと、循環する空気を除湿する乾燥剤とを備えているので、この乾燥庫が嵩張る形状になっている。そのため、特許文献１の乾燥装置を旅行先などに携帯することは困難になる。
【０００７】
一方、特許文献２の乾燥装置は、箱や靴座を折りたたみ自在に設けているので、旅行先に携帯することが可能である。ところが、特許文献２の乾燥装置は、箱の開口上部に白熱灯などの熱源を配置する必要があるので、この白熱灯などの熱源がない場所での使用はできない構造になっている。
【０００８】
一般に、旅行先やキャンプ場など、濡れた靴を一日で乾燥させることが必要な状況は極めて多い。しかしながら、従来の乾燥装置では、電気設備の無いところへ携帯してこれらの需要に応えることは困難であった。
【０００９】
そこで本考案は、上述の課題を解消すべく案出されたもので、電気設備がない場所でも実用的に十分な乾燥効果が得られ、しかも、携帯に便利な靴用乾燥具の提供を目的とするものである。
【課題を解決するための手段】
【００１０】
上述の目的を達成するため、本考案の第１の手段は、湿気を密封する密封袋体Ｐと、枠体状に組立て自在な乾燥シート１と、靴Ｑの内部に収納される乾燥体２とから構成され、該乾燥体２を収納した靴Ｑを枠体状に組立てた乾燥シート１の内側に配置し、該乾燥シート１ごと靴Ｑを密封袋体Ｐに収納することにある。
【００１１】
第２の手段の前記乾燥シート１は、繊維材で形成されたシートに乾燥剤を含侵させてシート体を形成し、該シート体のシートを貫通する多数の貫通孔の内周縁でシート体の繊維の切断端部が表出する吸湿促進部１Ｂを形成し、シート体のシート表面１Ａに加えて吸湿促進部１Ｂからも吸湿するように設けている。
【００１２】
第３の手段の前記乾燥シート１は、紙パルプシートに塩化カルシウムを含侵させて形成されている。
【００１３】
前記乾燥体２は、前記乾燥シート１を裁断した乾燥剤２Ｂを透水性の袋体２Ａ内部に収納して形成されたものである。
【００１４】
第５の手段の前記密封袋体Ｐは、透湿率の低い素材フィルムによって形成されると共に、開口部Ｐ１に密封用のシールチャックＰ２を設けたことを課題解消のための手段とする。
【考案の効果】
【００１５】
本考案の請求項１により、乾燥体２を収納した靴Ｑを枠体状に組立てた乾燥シート１の内側に配置し、該乾燥シート１ごと靴Ｑを密封袋体Ｐに収納することで、電気的な乾燥装置が無くても、実用的に十分な乾燥効果が得られる。すなわち、乾燥シート１や乾燥体２は、密封袋体Ｐ内部の水分のみを吸収するので、外気の湿度にかかわらず靴Ｑのみを乾燥させることができるものである。
【００１６】
しかも、乾燥シート１や乾燥体２はコンパクトに収納できるので、旅行先やキャンプ等に使用することも可能である。
【００１７】
また、請求項２により、シート体のシートを貫通する多数の貫通孔の内周縁でシート体の繊維の切断端部が表出する吸湿促進部１Ｂを形成し、シート体のシート表面１Ａに加えて吸湿促進部１Ｂからも吸湿するように設けているので、靴Ｑの水分を効率良く吸湿することができる。また、靴Ｑの内部に収納した乾燥体２と共に、靴の吸湿速度を速めることが可能になった。
【００１８】
請求項３により、本考案乾燥シート１は、これまでの乾燥シートと同様に形成することができ、製造コストを抑えることが可能である。したがって、本考案乾燥シートを低価格で提供することができる。
【００１９】
請求項４によると、前記乾燥体２は、前記乾燥シート１を裁断した乾燥剤２Ｂを透水性の袋体２Ａ内部に収納して形成されているので、乾燥体２の扱いや携帯が容易になり靴Ｑ内部の水分を短時間で十分に吸湿する効果が得られる。しかも、これら乾燥シート１や乾燥体２は、使用後に乾燥せしめることで再利用が可能になる。したがって、省エネ効果が極めて高く、温暖化防止効果にも優れるものである。
【００２０】
請求項５によると、密封袋体Ｐは、透湿率の低い素材フィルムによって形成されると共に、開口部Ｐ１に密封用のシールチャックＰ２を設けたものであるから、靴Ｑの内外から吸湿する乾燥シート１や乾燥体２の吸湿効果を高めることができる。
【００２１】
このように、本考案によると、電気設備がない場所でも実用的に十分な乾燥効果が得られ、しかも、携帯に便利で、旅先やキャンプ場などでの使用も可能になり、省エネ効果も高いなどといった実用上有益な種々の効果を奏するものである。
【考案を実施するための最良の形態】
【００２２】
本考案の最良の形態は、湿気を密封する密封袋体Ｐと、枠体状に組立て自在な乾燥シート１と、靴Ｑの内部に収納される乾燥体２とを設ける。該乾燥体２を収納した靴Ｑを枠体状に組立てた乾燥シート１の内側に配置し、該乾燥シート１ごと靴Ｑを密封袋体Ｐに収納する。繊維材で形成されたシートに乾燥剤を含侵させてシート体を形成する。該シート体のシートを貫通する多数の貫通孔の内周縁でシート体の繊維の切断端部が表出する吸湿促進部１Ｂを形成する。シート体のシート表面１Ａに加えて吸湿促進部１Ｂからも吸湿するように設けることにより当初の目的を達成するものである。
【実施例】
【００２３】
本考案乾燥具は、密封袋体Ｐ、乾燥シート１、乾燥体２にて構成されるもので、靴Ｑの内部に乾燥体２を収納し、この状態で枠体状に組み立てた乾燥シート１に靴Ｑを包み乾燥シート１ごと密封袋体Ｐ内に靴Ｑを密封して吸湿するものである（図１参照）。
【００２４】
本考案乾燥シートで用いる密封袋体Ｐの材質は、特に、透湿性の低い材質が好ましく、例えば蒸着ＰＥＴフィルムなどが好適である。また、このほか、ラミネートフィルムや単層のフィルムなど、湿気に対して密封可能な袋体であればどのような密封袋体Ｐでもよく、特に、開口部Ｐ１に密封用のシールチャックＰ２を有する密封袋体Ｐを使用することで、密封袋体Ｐの密封力を高めることができるのでより好適である。このとき、湿度の変化を色彩の変化で示す試験紙等やこれに類するものを密封袋体Ｐ内部に同封することで、乾燥状態を確認することが可能になる。
【００２５】
乾燥シート１は、紙パルプ等の繊維材で形成されたシートに塩化カルシウム等の乾燥剤を含侵させて形成したもので、携帯用のサイズとして、厚み１mm〜１０mm、Ａ５版〜Ａ３版サイズのものが好適である（図３参照）。この乾燥シート１のサイズや枚数は、使用目的に応じて任意に変更することも可能である。
【００２６】
乾燥シート１は、使用時に枠体状に組み立てて、この内部に靴Ｑを配置するものである。そのため、各乾燥シート１に連結具３を備えている（図２参照）。図示の連結具３は、予め乾燥シート１相互を連結するリング状を成しているが、連結具３の形状や態様は図示例に限られるものではなく、この他、クリップ状の連結具３で乾燥シート１を組立てたり、接着テープ状の連結具３を使用することも可能である（図示せず）。また、不使用時又は携帯時の乾燥シート１は、枠体を解除し、シート状に戻されるものである。
【００２７】
吸湿促進部１Ｂは、乾燥シート１を形成する繊維を切り欠いて繊維の切断端部が表出するように設けた部位である（図３参照）。乾燥シート１のシート表面１Ａに接触させる靴Ｑをこの吸湿促進部１Ｂにも接触させることで、吸湿速度を速めるものである。図示例の吸湿促進部１Ｂは、乾燥シート１を貫通する多数の貫通孔の内周縁で形成されているが、吸湿促進部１Ｂの形状、個数、配置等は任意に変更できるもので、要は、繊維の切断端部が表出するものであればよい。
【００２８】
また、乾燥シート１は、靴Ｑに接触して吸湿するものであるから、靴Ｑを配置する際に、できるだけ乾燥シート１の接触面積が多くなるようにするのが好ましい。そのために組み立てた各乾燥シート１を靴Ｑの外側面に沿わせるようにしてもよい。
【００２９】
乾燥体２は、乾燥シート１を裁断した乾燥剤２Ｂを透水性の袋体２Ａ内部に収納して形成されたものである（図４参照）。図示例では、不織布の袋体２Ａに、乾燥シート１をおよそ１mm幅に切断した乾燥体２Ｂを収納したものを示している。また、靴Ｑの内部に１個の乾燥体２を収納した状態を示しているが、乾燥体２のサイズ及び、靴Ｑのサイズや内部の湿り具合などにより、靴Ｑに収納する個数は任意に選択できるものであり、内部の湿った箇所に乾燥体２ができるだけ接触するように収納するのが望ましい。
【００３０】
本考案の使用方法は図１、２に示す通りである。まず、靴Ｑの内部に乾燥体２を収納し、次に乾燥シート１を枠状に組み立ててこの内部に靴Ｑを配置する（図２参照）。更に、この状態で密封袋体Ｐに収納し、シールチャックＰ２にて密封することで、靴Ｑの内部と外側を同時に乾燥させるものである（図１参照）。図示例では、片側の靴Ｑを４枚の乾燥シート１で囲み、１足合計８枚の乾燥シート１を使用しているが、この他の使用例として、並べられた一足の靴Ｑの両側面と側面とを乾燥シート１で囲むようにして合計４枚の乾燥シート１と共に密封袋体Ｐに収納することも可能である（図示せず）。
【００３１】
表１は本考案乾燥具の乾燥効果を示すデータである。実験では、牛皮製の紳士用通勤靴の重量と、該靴が含んだ水分の重量とを計測することで乾燥度を表したものである。乾燥シート１は、厚み4mm、100 mm×300 mmのものを４枚組み合わせた略倒コ字状の枠体を形成し、この枠体の内部に靴Ｑを一足配置した。各靴Ｑの内部には乾燥体２が１個ずつ収納されている。この乾燥体２は、乾燥シート１を1〜3mm程度の小片に裁断した乾燥剤２Ｂを、通気性のある不織布の袋体２Ａに詰め込んで形成した。この状態の靴Ｑ一足を密封袋体Ｐの内部に収納しシールチャックＰ２で密封した。
乾燥試験方法は次のとおりである。
１  靴Ｑの初期重量を測定する。
靴Ｑの総重量        ：加水前  ６２０g
２  スプレーで靴Ｑの内外に水を含ませ、再び重量を測定する。
靴Ｑの総重量        ：加水後  ６７０g
３  乾燥シート１と乾燥体２の吸湿前の初期重量を測定する。
乾燥シート１の総重量：吸湿前  １４０g（4枚）
乾燥体２の総重量    ：吸湿前  １００g（2個）
４  加水された各靴Ｑの中に、乾燥体２を１個ずつ収納する。
５  上記４の靴Ｑ一足を枠体の内部に配置し、この状態で密封袋体Ｐの内部に収納してシールチャックＰ２で密封する。
６  一定時間経過する毎に、靴Ｑ、乾燥シート１、乾燥体２の重量を測定し、靴Ｑの乾燥状態を検証した。各重量の測定結果は次の通りである。
【表１】
0003143946.tif 000003
【００３２】
この実験により、被試験物の靴Ｑに加水された５０gほどの水分は、１２時間後に８４％、２４時間後に９６％、３６時間後に１００％除湿されていることが分かった。この結果、半日でも８割方の乾燥ができ、1日もあれば、ほぼ乾燥状態になるので、本考案の除湿効果は十分実用的であることが証明された。
【００３３】
尚、図示例の各構成は、本考案の一実施例に過ぎず、乾燥シート１や乾燥体２の数、材質、形状、寸法、密封袋体Ｐの数、材質、形状、寸法などは自由に変更可能なものであり、本考案の要旨を変更しない範囲において自由に変更することができる。
【図面の簡単な説明】
【００３４】
【図１】本考案の使用状態を示す斜視図である。
【図２】本考案の乾燥シートの枠内に靴を配置した状態を示す縦断面図である。
【図３】本考案の乾燥シートを示す斜視図である。
【図４】本考案の乾燥体を示す一部切り欠き斜視図である。
【符号の説明】
【００３５】
Ｐ  密封袋体
Ｐ１  開口部
Ｐ２  シールチャック
Ｑ  靴
１  乾燥シート
１Ａ  シート表面
１Ｂ  吸湿促進部
２  乾燥体
２Ａ  袋体
２Ｂ  乾燥剤
３  連結具
【図１】
0003143946.tif 000004
【図２】
0003143946.tif 000005
【図３】
0003143946.tif 000006
【図４】
0003143946.tif 000007